(57)【要約】【課題】従来の送信方法に存在する欠点及び不十分な点を克服した、ショートメッセージを受信する端末が個性化レシート情報を送信する方法を提供することを課題とする。【解決手段】ショートメッセージを受信する端末が個性化レシート情報を送信する方法において、ユーザーがショートメッセージを受信した後に実施される個性化レシートサービスをオープンすることを申請し、個性化レシート情報をカスタマイズし、ショートメッセージを送信する端末がショートメッセージセンターを通じてユーザー端末にショートメッセージを送信した後、ショートメッセージセンターが、サービス情報の問い合わせを行い、ショートメッセージを受信した端末が返信する受信状態シグナリングを受信した後、業務プラットホームに個性化レシート情報の送信請求を行い、業務プラットホームが、上記ショートメッセージを送信した端末に、上記レシート情報を送信する。本発明によれば、ユーザーが通信ネットワークに個性化レシートサービスをオープンする申請をし、個性化レシート情報をカスタマイズし、ユーザーの端末がショートメッセージを受信した後、通信ネットワークがユーザーの要求によって、ショートメッセージを送信した端末にユーザー自身の個性を表示することができるショートメッセージレシート情報を送信する。
2009518985.tif 000002
【特許請求の範囲】
【請求項１】
ユーザーが、通信ネットワークでショートメッセージを受信した後に実行される個性化レシートサービスをオープン（ｏｐｅｎ）することを申請して、上記通信ネットワークが、上記ユーザーの個性化レシートサービスが既にオープンされていることを示すサービス情報を保存する第一のステップと、
上記ユーザーが、通信ネットワークに、個性化レシート情報を設定及びカスタマイズする第二のステップと、
ショートメッセージを送信する端末が、ショートメッセージセンターを通じて、上記ユーザーの端末にショートメッセージを送信した後、上記ショートメッセージセンターが、上記サービス情報によって、上記ユーザーが上記個性化レシートサービスを既にオープンしているユーザーであることを確認すると、ショートメッセージを受信した上記ユーザーの端末が返信する受信状態シグナリングを受信した後、
上記ショートメッセージを送信した端末に上記個性化レシート情報を送信する請求を、業務プラットホームに送信する第三のステップと、
上記業務プラットホームが、上記個性化レシート情報を、上記ショートメッセージを送信した端末に送信する第四のステップを含んでいることを特徴とする、ショートメッセージを受信する端末が個性化レシート情報を送信する方法。
【請求項２】
上記第一のステップにおいて、上記ユーザーが、モバイル通信ネットワークのユーザー或いは固定通信ネットワークのユーザーであり、上記ユーザーが、通信ネットワークのウェブサイトにログインし、或いは電話を掛けて、或は直接的に通信ネットワークの営業所を通じて、個性化レシートサービスをオープンすることを申請する、請求項１に記載のショートメッセージを受信する端末が個性化レシート情報を送信する方法。
【請求項３】
上記第二のステップにおいて、上記ユーザーが、通信ネットワークが提供するチャネル注文サービス或いは自身で実施する編集を通じて、上記個性化レシート情報を設定及びカスタマイズする、請求項１に記載のショートメッセージを受信する端末が個性化レシート情報を送信する方法。
【請求項４】
上記第三のステップにおいて、上記ショートメッセージセンターが、上記ユーザーのショートメッセージを受信する端末の所属レジスター或いは上記業務プラットホームに対して、上記サービス情報を問い合わせる、請求項１〜３のいずれかに記載のショートメッセージを受信する端末が個性化レシート情報を送信する方法。
【発明の詳細な説明】
【技術分野】
【０００１】
本発明は、ショートメッセージ（ｓｈｏｒｔ  ｍｅｓｓａｇｅ）を受信する端末が個性化レシート（ｒｅｃｅｉｐｔ）情報を送信する方法に関し、特に通信ネットワークにおいて、ショートメッセージを受信するユーザー端末から、ショートメッセージを送信するユーザー端末に個性化ショートメッセージのレシート情報を送信する方法である。
【背景技術】
【０００２】
通信技術の発展に伴って、各種の付加価値サービスの内容が非常に豊富になってきている。ショートメッセージのサービスは、通信ネットワーク事業者が提供する非常に実用価値のある付加価値サービスである。目下、ほとんど全てのモバイルユーザーは、ショートメッセージの送信によって、他人との情報伝達を行うことができ、また、そのような需要もある。また、ショートメッセージを送受信する機能を有する固定電話の使用によって、固定通信ネットワークでもショートメッセージの付加価値サービスを展開することが可能になった。しかし、ネットワークの混雑，信号衰弱及び端末機の状態等の多くの原因により、ショートメッセージを届けることができないという現象が発生する可能性がある。そのため、モバイル事業者は、ショートメッセージの送信ユーザーのために、ショートメッセージの受付確認サービス、即ち、ショートメッセージのレシートサービスを提供して、ショートメッセージの送信ユーザーが、自分が送信したショートメッセージを、当該ショートメッセージを受信する端末が既に受信したことを確認することができるようにした。
【０００３】
既存のネットワークにおいて、ショートメッセージのレシートサービスは、状態報告サービスとも呼ばれる。これは、シグナリング方式で、レシートが携帯電話に送信され、携帯電話は、固定方式で、ユーザーを提示する。このような既存の状態報告サービスには、以下のようないくつかの大きな欠点が存在する。
１．既存の多数の携帯電話、特に旧式のものやローエンドの携帯電話は、この機能を支援していない。
２．ユーザーが携帯電話で見るレシート情報の文字内容は、完全に端末の生産業者のカスタマイズ（ｃｕｓｔｏｍｉｚｅ）によって決められており、固定されているだけでなく、その方式を変更することもできない。
３．事業者は、レシート情報の内容を制御することができないため、ユーザーに付加価置サービスを提供することができない。
４．状態報告サービスを使用するためには、端末を設定しなければならないが、 多くのユーザー(特に中高年ユーザー)は、状態報告サービスを認識していなかったり、どのように利用するかが分からない場合が多い。
【０００４】
上記の欠点を克服するために、ショートメッセージの送信ユーザーが、予めショートメッセージ・レシート情報を設定しておく方法により、ショートメッセージを受信するユーザー端末がショートメッセージを受信した後、通信ネットワークは、上記ショートメッセージのレシート情報と従来のレシートシグナリングとを一緒にショートメッセージの送信ユーザーの携帯電話に送信する。しかし、このような方式にも不十分な点が存在している。即ち、ショートメッセージを受信するユーザーは、自身の個性を表すことができる情報をショートメッセージの送信ユーザーに送信することができない。そのため、ショートメッセージを受信するユーザーの個性表現の要求を満足させることができない。
【発明の開示】
【発明が解決しようとする課題】
【０００５】
本発明の目的は、上記従来の状態報告サービスを利用する方式及びショートメッセージの送信ユーザーが予めカスタマイズされたレシート情報をショートメッセージレシートとする方式に存在する欠点及び不十分な点に鑑みて、 ショートメッセージを受信する端末が個性化レシート情報を送信する方法を提供することにある。この方法は、ショートメッセージの送信ユーザーに、ショートメッセージを受信するユーザーが自身でカスタマイズした個性化レシート情報を受信させることを可能にする。
【課題を解決するための手段】
【０００６】
上記目的を実現するために、本発明によるショートメッセージを受信する端末が個性化レシート情報を送信する方法は、以下のようなステップを含んでいる。
第一のステップ：ユーザーが、通信ネットワークにショートメッセージを受信した後に実施される個性化レシートサービスをオープン（ｏｐｅｎ）することを申請して、上記通信ネットワークが、上記ユーザーによって既にオープンされた個性化レシートサービスのサービス情報を保存するステップ。
第二のステップ：上記ユーザーが、通信ネットワークに、個性化レシート情報の設定及びカスタマイズを行うステップ。
第三のステップ：ショートメッセージを送信する端末が、ショートメッセージセンターを通じて、上記ユーザーの端末にショートメッセージを送信した後、上記ショートメッセージセンターが、上記サービス情報によって、上記ユーザーが上記個性化レシートサービスを既にオープンしたユーザーであることを確認すると、上記ユーザーのショートメッセージを受信する端末が返信する受信状態シグナリングを受信した後、
上記ショートメッセージを送信した端末に上記個性化レシート情報を送信する請求を業務プラットホームに送信するステップ。
第四のステップ：上記業務プラットホームが、上記個性化レシート情報を、上記ショートメッセージを送信した端末に送信するステップ。
【発明の効果】
【０００７】
上記課題を解決する手段から分かるように、本発明は、ユーザー自身が通信ネットワークに個性化レシートサービスをオープンすることを申請し、ユーザー自身が個性化レシート情報をカスタマイズすることを通じて、通信ネットワークがユーザーのカスタマイズ要求によって、ユーザー端末がショートメッセージを受信した後に、従来の状態報告サービスを遂行すると同時に、ショートメッセージを送信した端末に、ユーザーの個性化レシート情報を送信することを可能にすることにより、ユーザーからの通信サービス品質に対する日々高まる要求を満足させることができ、また、通信ネットワーク事業者としてユーザーに更に多くのより豊富なデータ付加価置サービスを提供することを可能にする。
【発明を実施するための最良の形態】
【０００８】
以下、図面及び本発明の実施形態を参照しながら、本発明について、詳しく説明する。
【０００９】
図１は、本発明の一実施形態に係る方法を示したフローチャートであり、同フローチャートに示したように、この実施形態はモバイル通信ネットワークに応用され、以下のステップを含んでいる。
【００１０】
第一のステップ１０１：モバイル通信ネットワークのユーザーは、モバイル事業者のウェブサイト（Ｗｅｂｓｉｔｅ）にログインして、
モバイル通信ネットワークにショートメッセージ受信後に実行される個性化レシートサービスをオープンすることを申請して、モバイル通信ネットワークは、上記ユーザーの申請を受け取った後、相応な認証処理を実施してから、上記ユーザーのモバイル端末が既に個性化レシートサービスをオープンしていることを表示するサービス情報データを生成して、上記サービス情報データを上記ユーザーのモバイル端末の所属レジスター（Ｒｅｇｉｓｔｅｒ）に保存する。
【００１１】
第二のステップ１０２：個性化レシートサービスをオープンすることを申請したユーザーは、モバイル通信ネットワークにおいて、他人に送信するのに適切な、自分の個性を表すことができる個性化レシート情報をカスタマイズする。
【００１２】
第三のステップ１０３：モバイル通信ネットワークにあるショートメッセージを送信する端末が、ショートメッセージセンターを通じて、上記ユーザーのモバイル端末にショートメッセージを送信した後、ショートメッセージセンターは、ショートメッセージを受け取った上記モバイル端末の所属レジスターを捜し、上記所属レジスターに保存されたサービス情報データを通じて、ショートメッセージを受け取った上記モバイル端末のユーザーが個性化レシートサービスを既にオープンしたユーザーであることを確認すると、ショートメッセージを受け取った上記モバイル端末が返信する受信状態シグナリングを受け取った後、上記ショートメッセージを送信した端末に、ユーザーによってカスタマイズされた個性化レシート情報を送信する請求を業務プラットホームに送信する。
【００１３】
第四のステップ１０４：業務プラットホームは、ショートメッセージを受信したモバイル端末のユーザーによってカスタマイズされた個性化レシート情報を、ショートメッセージを送信した端末に送信する。
【００１４】
この実施形態において、モバイルユーザーは、モバイル通信会社のサービス電話に電話を掛けたり、或は直接的にモバイル通信ネットワーク営業所で提供する対面サービスを通じて、個性化レシートサービスをオープンすることを申請することができる。ショートメッセージを受信するモバイル端末のユーザーが、レシート情報をカスタマイズする場合には、ユーザーの嗜好や個性や具体的な必要性に合わせて、複数の異なった個性化レシート情報を設定するようにカスタマイズすることができる。また、異なるショートメッセージを送信する端末の番号に対応させて、異なった個性化レシート情報を設定するようにカスタマイズすることもできる。更に、個性化レシート情報の送信方式において、異なった時間帯によって異なった個性化レシート情報を送信するように設定することができる。なお、ショートメッセージを受信するモバイル端末のユーザーは、通信ネットワークが提供する個性化レシート情報を直接的にカスタマイズするだけでなく、自分で編集及び編成して、自分の個性化レシート情報を作成及びカスタマイズすることができる。
【００１５】
本発明においては、ショートメッセージの個性化レシートサービスをオープンすることを申請したユーザーのオープン状態を示すサービス情報データは、業務プラットホームに保存することもできる。この場合には、ショートメッセージセンターは、業務プラットホームに調査シグナリングを送信することにより、ショートメッセージを受け取ったユーザーが、既に個性化レシートサービスをオープンしているか否かを判断することができる。
【００１６】
本発明は、モバイル通信ネットワークのショートメッセージの個性化レシートサービスに応用することができるだけでなく、固定通信ネットワークにも応用することができる。
【００１７】
上述した実施形態は、本発明を説明するために例示的に挙げたに過ぎないものであって、本発明を何ら限定するものではない。当業者は、本発明の要旨を逸脱しない範囲において、上述の実施形態に対して様々な修正或いは均等物との置換を加えることができ、そのような修正及び置換は、保護が要求されている本発明の技術的思想の範囲内に属するものであることは明らかである。
【図面の簡単な説明】
【００１８】
【図１】本発明の一実施形態に係る方法を示したフローチャートである。
【図１】
2009518985.tif 000003
【国際調査報告】
2009518985.tif 000004
2009518985.tif 000005
2009518985.tif 000006
2009518985.tif 000007